(57)【要約】【課題】プランジャーの作動荷重が安定しており、押圧動作の停止に際して内容物の漏れや垂れのないディスペンサーを提案する。【解決手段】内容物の充填空間を有しその先端に注出ノズルを装着したシリンジ本体１と、押し込み力の付加によりシリンジ本体１内にてスライドさせて該充填空間ｍ内の内容物を注出ノズルの先端より注出するプランジャー２と、このプランジャー２の先端部分に形成された環状溝部２ｃに設置され、シリンジ本体１の内壁面に沿い摺動可能なＯリング４とを備えたディスペンサーにおいて、前記環状溝部２ｃに弾性変位にかかるОリング４の一部分を入れ込む凹所３を設け、該凹所３に隣接する環状溝部２ｃの側壁に、該プランジャー２の押し込みにしたがって該Ｏリング４の側部を当接、弾性変位させる一方、該プランジャー２の押し込みにかかる負荷を解除してその復元力にてプランジャー２を押し込み方向とは逆向きにスライドさせて内容物のバックサクションを誘導する凸部又は溝５を設ける。【選択図】図１
2010222013.tif 000002
【特許請求の範囲】
【請求項１】
内容物の充填空間を有し、その先端に注出ノズルを装着したシリンジ本体と、押し込み力の付加によりシリンジ本体内にてスライドさせて該充填空間内の内容物を注出ノズルの先端より注出するプランジャーと、このプランジャーの先端部分に形成された環状溝部に設置され、シリンジ本体の内壁面に沿い摺動可能とするＯリングとを備えたディスペンサーであって、
前記環状溝部の溝底に、弾性変位にかかるОリングの一部分を入れ込む凹所を設け、
前記凹所に隣接する環状溝部の側壁に、該プランジャーの押し込みにしたがって該Ｏリングの側部を当接、弾性変位させる一方、その押し込みにかかる負荷を解除することによって該Оリングを復元させてプランジャーを押し込み方向とは逆向きにスライドさせて内容物のバックサクションを誘導する凸部又は溝を設けたことを特徴とする粘性材料の注出用ディスペンサー。
【請求項２】
前記凹所が、環状溝部の溝底に沿うフラットな底壁を有する、請求項１記載の粘性材料の注出用ディスペンサー。
【請求項３】
前記凹所が、環状溝部の側壁に向けて低くなる傾斜底壁を有する、請求項１記載の粘性材料の注出用ディスペンサー。
【請求項４】
前記凹所の領域が環状溝部の溝幅の最大５０％の範囲に及ぶものである、請求項１〜３の何れかに記載の粘性材料の注出用ディスペンサー。
【請求項５】
前記シリンジ本体は、その外周壁に、多角形状になる鍔を有する請求項１〜４の何れかに記載の粘性材料の注出用ディスペンサー。
【発明の詳細な説明】
【技術分野】
【０００１】
本発明は、歯科診療等において使用される充填剤の如き粘性材料を注出するのに好適なディスペンサーに関するものであり、ノズル先端からの内容物の垂れを確実に回避しようとするものである。
【背景技術】
【０００２】
歯科診療等においては、充填剤や接着剤等、粘性の高いペースト状の材料が頻繁に使用されており、通常は、プランジャーを押圧して細径のノズルから内容物を該ノズルから注出する注射器タイプのディスペンサーが使用されている。
【０００３】
ところで、この種のディスペンサーは、充填空間内の残圧により内容物の注出を停止したのちにおいても内容物が漏れ出てしまうのが避けられないことから、正確な量でもって内容物を注出することが困難であったり、高価な内容物が無駄になっていた。
【０００４】
この点に関しては、Ｏリングの装着溝の溝底を、容器本体の後端に向けて連続的又は段階的に狭くした形状をもたせ、ノズル側から最も遠い位置からノズル側へＯリングの無負荷状態での横断面の直径の０．５倍の長さだけ来た位置における該底部と容器本体内面との間隔をＯリングの無負荷状態での横断面の直径の０．８５倍以上とした歯科用粘性材料用容器の押出し部構造が提案されているが（例えば、特許文献１参照）、かかる押出し部構造は、成形誤差の影響を受けやすいため品質管理が難しく効率的な製造が行えないこと、また、移動蓋のスライドに際してＯリングが容器本体の内面に強く当たることになるためその押し込み力が上昇（移動蓋の作動荷重が大きくなる）し使い勝手の面で未だ多少の改善の余地が残されていた。
【先行技術文献】
【特許文献】
【０００５】
【特許文献１】特開２００１−５７９８７号公報
【発明の概要】
【発明が解決しようとする課題】
【０００６】
本発明の課題は、作動荷重が大きくなることなしに内容物の注出が行え、内容物の垂れや漏れを回避できる新規なディスペンサーを提案するところにある。
【課題を解決するための手段】
【０００７】
発明は、内容物の充填空間を有しその先端に注出ノズルを装着したシリンジ本体と、押し込み力の付加によりシリンジ本体内にてスライドさせて該充填空間内の内容物を注出ノズルの先端より注出するプランジャーと、このプランジャーの先端部分に形成された環状溝部に設置され、シリンジ本体の内壁面に沿い摺動可能なＯリングとを備えたディスペンサーであって、
前記環状溝部の溝底に、弾性変位にかかるОリングの一部分を入れ込む凹所を設け、
前記凹所に隣接する環状溝部の側壁に、該プランジャーの押し込みにしたがって該Ｏリングの側部を当接、弾性変位させる一方、該プランジャーの押し込みにかかる負荷の解除によりОリングを復元させてプランジャーを押し込み方向とは逆向きにスライドさせて内容物のバックサクションを誘導する凸部又は溝を設けたことを特徴とする粘性材料の充填用ディスペンサーである。
【０００８】
上記の構成になるディスペンサーにおいて凹所は、環状溝部の溝底に沿うフラットな底壁とするか、あるいは、環状溝部の側壁のシリンジ後部に向けて低くなる傾斜底壁とすることができる。
【０００９】
また、前記凹所の領域は、環状溝部の溝幅の最大５０％の範囲に及ぶものとするのが望ましく、前記シリンジ本体はその外周壁には、シリンジ本体の転がりを防止し該シリンジ本体の安定した載置を達成するために多角形状になる鍔を設けることができる。
【発明の効果】
【００１０】
プランジャーを押圧して充填空間内の内容物を注出する際、Ｏリングはプランジャーの溝部の側壁に形成した凸部あるいは溝に当接して弾性変位するが、該プランジャーの押圧を停止してそれにかかる負荷を解除するとОリングが弾性変位した分だけ、プランジャーの押し込み方向とは逆向きにスライドすることとなり、これにより充填空間内は減圧され、注出ノズル内に存在する内容物が充填空間内に引き込まれる。
【００１１】
弾性変位にかかるОリングの一部分は環状溝部の凹所に入り込みシリンジ本体内径とＯリングとの締代が低下するため、プランジャーを押し込んでもＯリングがシリンジ本体の内面に強く当たることがなくプランジャーの押し込みにかかる力が低減される。
【図面の簡単な説明】
【００１２】
【図１】本発明にしたがう注出用ディスペンサーの実施の形態を示した図である。
【図２】図１に示したディスペンサーの要部の断面を示した図である（無負荷状態）。
【図３】図１に示したディスペンサーの要部の外観斜視図である。
【図４】図１に示したディスペンサーの要部の断面を示した図である（加圧状態）。
【図５】本発明にしたがう注出用ディスペンサーの他の実施の形態を要部について示した図である。
【図６】図５に示したディスペンサーの作動状況を示した図である。
【図７】本発明にしたがう注出用ディスペンサーのさらに他の実施の形態を要部について示した図である。
【発明を実施するための最良の形態】
【００１３】
以下、図面を参照して本発明をより具体的に説明する。
図１は本発明に従う粘性材料の充填用ディスペンサーの実施の形態を示した図であり、図２はその要部を拡大して示した図である。
【００１４】
図における１は筒状をなしその先端及び後端が開放されたシリンジ本体である。このシリンジ本体１はその内側に内容物の充填空間ｍを形成するものであって、その先端部には注出ノズル1ａが装着されている。
【００１５】
また、２はシリンジ本体１内にてスライドさせて充填空間ｍ内の内容物を注出ノズル１ａの先端より注出するプランジャーである。このプランジャー２の先端部分には円錐ディスク２ａと押圧ディスク２ｂが設けられており、その相互間には溝幅がＤになる環状溝部２ｃが形成され、円錐ディスク２ａの前方には、プランジャー２の押し切り時のシリンジ本体１内における内容物の残留を極力少なくする観点から、シリンジ本体１の前方内壁形状と略合致する形状からなる円錐台状の凸部２ｄが形成されている（図２参照）。
【００１６】
３は環状溝部２ｃの溝底で側壁（後述する押圧ディスク）に隣接して設けられた凹所である。この凹所３は、この例では、環状溝部２ｃの溝底に沿うフラットな底壁３ａを有する物として表示してあり、弾性変位にかかるОリングの一部分が入り込む。
【００１７】
４はプランジャー２の環状溝部２ｃに配置されたＯリング（Оリングのセット状態で溝部２ｃの幅Ｄは隙間が遭っても良い。）であり、このＯリング４はシリンジ本体１の内壁面に沿い摺動可能で、かつプランジャー２とシリンジ本体１との相互間にて充填空間ｍをシールする。
【００１８】
５は図３にその外観斜視図を示すように、プランジャー２の押圧ディスク２ｂの側壁（環状溝２ｃの側壁）に９０°間隔で設けられた凸部（リブ又は溝でもよい。）である。この凸部５は、プランジャー２の押し込みの際にＯリング４の側部に当接して該Оリング４を弾性変位させる（弾性変位にかかるОリングの一部分は凸部５の相互間に形成される隙間に入り込む）一方、該プランジャー２の押し込みにかかる負荷を解除しその復元力でプランジャー２を押し込み方向とは逆向きにスライドさせて内容物のバックサクションを誘導する。
【００１９】
さらに、６はプランジャー２を押し込む時に指をあてがう鍔である。
【００２０】
プランジャー２の押し込み前（無負荷状態）においては、Ｏリング４は図２に示すような状態にある。プランジャー２を押し込んで内容物の注出を開始するとＯリング４は図４に示すように凸部５に当接して弾性変位する。
【００２１】
内容物の注出に際してプランジャー２を加圧している時には、Ｏリング４は常に図４に示す状態にあり（図中矢印Ａ方向への押し込み）、Ｏリング４の一部が凹所３に入り込むことによりシリンジ本体１内径とＯリング４との締代が低下し作動荷重が低減することになるが、プランジャー２の押し込みを停止してそれにかかる負荷を解除すると、弾性変位したＯリング４はその復元力でプランジャー２の押し込み方向とは逆向きにスライドする（図４中矢印Ａ′方向）こととなり、これにより注出ノズル１ａ内に存在する内容物が充填空間ｍ内へと引き込まれる。
【００２２】
図５は凹所３の、Ｄ／２の位置から押圧ディスク２ｂの側壁のシリンジ後部に向けて低くなる傾斜底壁３ｂを形成し、Оリング４を図６に示すように弾性変位させる本発明に従うディスペンサーの他の実施の形態を示したものである。
【００２３】
かかる傾斜底壁３ｂを有する凹所３を設けた場合には、Оリング４の弾性変位及び復元が徐々に進行していくためプランジャー２の動作がスムーズになる利点があり、図７にさらに他の実施の形態を示す如く、凹所３の溝底の全域を傾斜底壁３ｂとすることもできる。
【００２４】
Ｏリング４を弾性変位させる手段として本発明の実施の形態では凸部５を設ける場合を例として示したが、凸部５の代わりに縦リブあるいは溝を設けることで該Ｏリング４を弾性変位させてもよく、この点については限定されない。
【００２５】
鍔６については、ディスペンサーを置いたときに転がるのを防止するため多角形状にすることができる。
【産業上の利用可能性】
【００２６】
プランジャーの作動荷重が安定しており、確実なバックサクションを誘導して内容物の漏れや垂れを回避できる注出用ディスペンサーが提供できる。
【符号の説明】
【００２７】
１    シリンジ本体
１ａ  注出ノズル
２    プランジャー
２ａ  円錐ディスク
２ｂ  押圧ディスク
２ｃ  環状溝部
２ｄ  円錐台状の凸部
３    凹所
４    Оリング
５    凸部
６    鍔
【図１】
2010222013.tif 000003
【図２】
2010222013.tif 000004
【図３】
2010222013.tif 000005
【図４】
2010222013.tif 000006
【図５】
2010222013.tif 000007
【図６】
2010222013.tif 000008
【図７】
2010222013.tif 000009